(57)【要約】【課題】施工性が向上したレンジフードおよびその設置方法を提供する。【解決手段】フード本体１０と、フード本体の側面に備えられる側面板２０と、フード本体にスライド可能に備えられ、側面板から表出する表出部１４を有する可動部１３と、を備えるレンジフード１００であって、フード本体は、側面板に係合する第一係合部１１を備え、側面板は、表出部が表出する開口部２３と、第一係合部と係合する第一被係合部２１とを備え、第一係合部と第一被係合部が係合していない状態かつ開口部から表出部が表出した状態において、側面板と可動部は、第一被係合部が第一係合部に係合する方向にスライド可能であり、第一係合部と第一被係合部が係合した状態で側面板がフード本体に取り付けられたことを特徴とするレンジフード。【選択図】図５
2019060562.tif 000002
【特許請求の範囲】
【請求項１】
フード本体と、
前記フード本体の側面に備えられる側面板と、
前記フード本体にスライド可能に備えられ、前記側面板から表出する表出部を有する可動部と、
を備えるレンジフードであって、
前記フード本体は、前記側面板に係合する第一係合部を備え、
前記側面板は、前記表出部が表出する開口部と、前記第一係合部と係合する第一被係合部とを備え、
前記第一係合部と前記第一被係合部が係合していない状態かつ前記開口部から前記表出部が表出した状態において、前記側面板と前記可動部は、前記第一被係合部が前記第一係合部に係合する方向にスライド可能であり、
前記第一係合部と前記第一被係合部が係合した状態で前記側面板が前記フード本体に取り付けられたことを特徴とするレンジフード。
【請求項２】
前記第一被係合部が前記第一係合部に係合する方向は上方向であることを特徴とする請求項１に記載のレンジフード。
【請求項３】
前記フード本体は、前記側面板に係合する第二係合部を備え、前記側面板は、前記第二係合部と係合する第二被係合部とを有し、前記第二係合部と前記第二被係合部が係合した状態で前記開口部から前記表出部が表出可能であって、前記第一係合部と前記第一被係合部が係合した状態においては前記第二係合部と前記第二被係合部が係合していないことを特徴とする請求項１または請求項２に記載のレンジフード。
【請求項４】
前記側面板は、前記表出部を前記開口部に案内するガイド部を有することを特徴とする請求項１から請求項３のいずれかに記載のレンジフード。
【請求項５】
前記ガイド部は、前記表出部が前記開口部から表出した状態で前記可動部を支持することを特徴とする請求項４に記載のレンジフード。
【請求項６】
前記第一係合部と前記第一被係合部が係合した状態を保持する保持具をさらに備え、
前記第一係合部は、前記側面板が前記フード本体から離れることを防止する前垂れ防止部を備えることを特徴とする請求項１から請求項５のいずれかに記載のレンジフード。
【請求項７】
第一係合部と第二係合部を有するフード本体と、
前記フード本体の側面に備えられ、開口部と第一被係合部と第二被係合部とを有する側面板と、
前記フード本体にスライド可能に備えられ、前記側面板の前記開口部から表出する表出部を有する可動部と、
を備えるレンジフードの設置方法であって、
前記フード本体を壁または天井に取り付け、
前記側面板の前記第二被係合部を前記フード本体の前記第二係合部に係合し、
前記側面板の前記開口部から前記表出部を表出させ、
前記側面板を前記可動部と共に前記第一係合部が係合する方向にスライドし、
前記側面板の前記第一被係合部を前記フード本体の前記第一係合部に係合し、
前記側面板と前記フード本体を保持具により前記第一係合部と前記第一被係合部が係合した状態で保持する、
レンジフードの設置方法。
【発明の詳細な説明】
【技術分野】
【０００１】
本発明は、レンジフードおよびレンジフードの設置方法に関する。
【背景技術】
【０００２】
従来から、厨房などに設置されるレンジフードに関して、フード本体の前面下部にスイッチの操作部が突出するように取り付けられており、該スイッチの操作部を突出させる開口部を有し、かつフード前面を開閉する前面パネルを備えるレンジフードが知られている。たとえば、特許文献１は、レンジの上方に設けられるフード、およびこのフード内に設けられた排気用ファンを有するレンジフードファンにおいて、スイッチおよび他の電気部品からなり、かつ前記フードの前面にスイッチの操作部が位置するように取付けられたスイッチアッセンブリーと、前記スイッチの操作部を突出させる開口部を有し、かつフード前面を開閉する前面パネルとを具備するレンジフードを開示する。
【先行技術文献】
【特許文献】
【０００３】
【特許文献１】実開昭５９−１７４５４８号公報
【発明の概要】
【発明が解決しようとする課題】
【０００４】
しかし、レンジフードのフード本体と天井の間に設けられる幕板（前板）などの側面板を取り付ける際に、天井や壁面を傷つけてしまう恐れがあり、慎重な取り付け作業が必要なために施工性が良くなかった。たとえば、正面側の側面板にはスイッチボタン等の側面板から突出するなどして表出する部分がある場合が多いが、このような部分があると、スイッチボタンとそれを嵌合する孔等の開口部とを嵌め合わせる作業が、厨房等の施工現場で必要となる。そうすると、天井面や壁面に平行な方向の動きを伴う作業が必要となるため、天井面や壁面が側面板の端部により傷がついてしまう場合があった。
また、側面板をフード本体に取り付ける場合、意匠上ネジの頭部等が表面に表れることは好ましくないため隠れた場所で取り付けることが望ましいが、そのように側面板を取り付けようとすると、レンジフードの部材を一旦取り外して側面板をフード本体の内側からネジ止め等した後、再度すべての部材を取り付ける必要があるので施工性が良くなかった。また、かかる部材の取り外しと取り付けにより、部材に傷がつく場合もあった。
そこで、本発明では、天井や壁面に傷をつけることがなく、また部材の取り外しなども必要がなく、施工性が向上したレンジフードおよびその設置方法を提供する。
【課題を解決するための手段】
【０００５】
上記課題を解決するために、フード本体と、フード本体の側面に備えられる側面板と、フード本体にスライド可能に備えられ、側面板から表出する表出部を有する可動部と、を備えるレンジフードであって、フード本体は、側面板に係合する第一係合部を備え、側面板は、表出部が表出する開口部と、第一係合部と係合する第一被係合部とを備え、第一係合部と第一被係合部が係合していない状態かつ開口部から表出部が表出した状態において、側面板と可動部は、第一被係合部が第一係合部に係合する方向にスライド可能であり、第一係合部と第一被係合部が係合した状態で側面板がフード本体に取り付けられたことを特徴とするレンジフードが提供される。
これによれば、側面板を天井面や壁面と取り付け状態に対して比較的遠い位置から近づく方向にスライドさせて取り付けることによって側面板が天井や壁面に接触することなく天井や壁面に傷をつけることがないため、施工性が向上したレンジフードを提供することができる。また、側面板をスライドさせて取り付ける際、側面板から表出する部分も一緒にスライドすることで天井面や壁面に垂直な方向以外の方向に動かす必要がなく、また部材の取り外しなども必要がないため、施工性が向上したレンジフードを提供することができる。
【０００６】
さらに、第一被係合部が第一係合部に係合する方向は上方向であることを特徴としてもよい。
これによれば、天井の近傍に設置する場合、側面板を上方向にスライドさせて取り付けることによって天井を傷付けることがないため、施工性が向上する。
【０００７】
さらに、フード本体は、側面板に係合する第二係合部を備え、側面板は、第二係合部と係合する第二被係合部とを有し、第二係合部と第二被係合部が係合した状態で開口部から表出部が表出可能であって、第一係合部と第一被係合部が係合した状態においては第二係合部と第二被係合部が係合していないことを特徴としてもよい。
これによれば、側面板をフード本体に取り付ける際に、一旦第二係合部に引っ掛けることで、仮の位置決めができ、安定して次の動作に移ることができるため施工性が向上する。また、側面板を取り付ける際、第二係合部に係合した状態で開口部と表出部の位置が概ね適合するため、側面板が表出部に接触して表出部を傷付けることがないと共に容易に開口部と表出部の位置合わせができる。
【０００８】
さらに、側面板は、表出部を開口部に案内するガイド部を有することを特徴としてもよい。
これによれば、表出部を開口部に案内するガイド部を設けることで、容易に開口部と表出部の位置合わせができる。
【０００９】
さらに、ガイド部は、表出部が開口部から表出した状態で前記可動部を支持することを特徴としてもよい。
これによれば、ガイド部が可動部を支持することで、側面板をスライドさせる際または側面板をフード本体に取り付けた状態で可動部の姿勢が維持でき、表出部に負荷がかからず、傷がつくことを防止できる。
【００１０】
さらに、第一係合部と第一被係合部が係合した状態を保持する保持具をさらに備え、第一係合部は、側面板がフード本体から離れることを防止する前垂れ防止部を備えることを特徴としてもよい。
これによれば、側面板が、フード本体から離れたり、側面板が被係合部が係合部に係合する方向とは逆方向に移動したりして脱落することを防止することができる。
【００１１】
上記課題を解決するために、第一係合部と第二係合部を有するフード本体と、フード本体の側面に備えられ、開口部と第一被係合部と第二被係合部とを有する側面板と、フード本体にスライド可能に備えられ、側面板の開口部から表出する表出部を有する可動部と、を備えるレンジフードの設置方法であって、フード本体を壁または天井に取り付け、側面板の第二被係合部をフード本体の第二係合部に係合し、側面板の開口部から表出部を表出させ、側面板を可動部と共に第一係合部が係合する方向にスライドし、側面板の第一被係合部をフード本体の第一係合部に係合し、側面板とフード本体を保持具により第一係合部と第一被係合部が係合した状態で保持するレンジフードの設置方法が提供される。
これによれば、側面板を天井面や壁面に垂直な方向にスライドさせて取り付けることによって天井や壁面に傷をつけることがないため、施工性が向上したレンジフードの設置方法を提供することができる。また、側面板をスライドさせて取り付ける際、側面板から表出する部分も一緒にスライドすることで天井面や壁面に垂直な方向以外の方向に動かす必要がなく、また部材の取り外しなども必要がないため、施工性が向上したレンジフードの設置方法を提供することができる。
【発明の効果】
【００１２】
以上説明したように、本発明によれば、天井や壁面に傷をつけることがなく、また部材の取り外しなども必要がなく、施工性が向上したレンジフードおよびその設置方法を提供することができる。
【図面の簡単な説明】
【００１３】
【図１】本発明に係る第一実施例のレンジフードの、（Ａ）上面図、（Ｂ）底面図、（Ｃ）背面図、（Ｄ）正面図、（Ｅ）右側面図、（Ｆ）Ａ−Ａ断面における断面図。
【図２】本発明に係る第一実施例のレンジフードの、（Ａ）右斜め上から見た場合の斜視図、（Ｂ）右斜め下から見た場合の斜視図。
【図３】本発明に係る第一実施例のレンジフードのフード本体の、（Ａ）上面図、（Ｂ）正面図、（Ｃ）右斜め下から見た場合の斜視図、（Ｄ）右側面図。
【図４】本発明に係る第一実施例のレンジフードの側面板の、（Ａ）正面図、（Ｂ）左斜め後ろの上方からみた場合に斜視図、（Ｃ）背面図、（Ｄ）左斜め後ろの下方から見た場合の斜視図、（Ｅ）右側面図。
【図５】本発明に係る第一実施例のレンジフードにおいて、側面板をフード本体に取り付ける過程を示す模式図。
【発明を実施するための形態】
【００１４】
以下では、図面を参照しながら、本発明に係る各実施例について説明する。
＜第一実施例＞
図１および図２を参照し、本実施例に係るレンジフード１００を説明する。レンジフード１００は、厨房の調理器（図示せず）の上方や周辺の天井面や壁面の近傍に設置される。レンジフード１００は、フード本体１０とフード本体１０の正面側の側面に備えられる側面板２０とを備えるが、工場出荷時には両者は別体として出荷され、厨房に搬入してフード本体１０が壁面等に備え付けられた後、側面板２０がフード本体１０に取り付けられて一体となる。その取り付け方は後述する。なお、本実施例では、側面板２０はフード本体１０の正面側の側面のみに取り付けられる例を示すが、もちろんこれに限定されず、フード本体１０の背面のみが壁面に接し、側面が壁面に接しない場合は、その側面に別の側面板を備えてもよい。
【００１５】
フード本体１０は、その外観形状は直方体をなし、内部に送風機６０と、底面側に、送風機６０が発生させる空気の流れを吸い込む吸込み口１７を有する内面パネル４０と、吸込み口１７の下方に空気の流れを整流する整流板５０と、上面側に、空気を屋外に排出するためのダクト（図示せず）に接続するダクト接続部１９と、フード本体１０を壁面に取り付けるための本体留め金具１８とを有する。なお、内面パネル４０の背面側には調理器上で調理する手元を照らすための照明４１が備えられる。
【００１６】
側面板２０は、正面側の側面に備えられ、レンジフード１００の意匠上重要な部分であり、フード本体１０に取り付けられた場合には、左右側面の面（つら）はフード本体１０の左右側面の面（つら）と一致し、底面の面（つら）はフード本体１０の底面の面（つら）と一致すると共に、上面の面である上端２０Ｕは、厨房の天井に当接しても当接しなくてもよい。側面板２０は、その下部の中央に開口部２３を有する。開口部２３には、側面板２０がフード本体１０に取り付けられた場合には、その開口部２３に適合するように設けられたスイッチボタン１４が嵌り込み、スイッチボタン１４は側面板２０の正面側の面（つら）からわずかに突出し正面側に表出している。
【００１７】
フード本体１０は、その正面側の側面に、その側面の面方向にスライド可能にスイッチボックス１３（可動部）を備える。本実施例では、スイッチボックス１３は、上下方向にスライド可能に設けられており、詳細は後述する。スイッチボックス１３は、たとえばレンジフード１００をオンオフしたり風量を指示したりするためのスイッチボタン１４（表出部）を備える。本実施例では、スイッチボタン１４は、スイッチボックス１３から正面側へ少なくとも側面板２０の板厚以上突出し、正面視および側面視から視認可能に表出している。しかし、これに限定されず、スイッチボタン１４は、スイッチボタン１４の正面側の面と側面板２０の正面側の面とが面一となるようにまたはわずかに凹むようにスイッチボックス１３から正面側へ突出していてもよい。かかる場合であっても、スイッチボタン１４（表出部）は、正面視において側面板２０から表出している。
【００１８】
図３および図４を参照し、フード本体１０と側面板２０についてより詳細に説明する。フード本体１０は、スライド可能に備えられ、側面板２０から表出するスイッチボタン１４（表出部）を有するスイッチボックス１３（可動部）と、側面板２０に係合する第一係合部１１を備える。スイッチボックス１３は、フード本体１０に対してスライド可能に備えられるが、本実施例では、フード本体１０に設けられた長孔１３１に段付きねじ１３２を介して固定されず保持されることでスライド可能となっている。
【００１９】
本実施例では、長孔１３１の長径は上下方向（縦方向）に設けられているので、スイッチボックス１３は、フード本体１０に対して側面の面方向であって上下方向（縦方向）にスライド可能となっている。もちろん、これに限定されず、長孔１３１の長径が左右方向（横方向）に設けられた場合には、スイッチボックス１３は、フード本体１０に対して側面の面方向であって左右方向（横方向）にスライド可能となる。なお、スイッチボックス１３が段付きねじ１３２で保持されることで、スライド部分を一定のクリアランスで固定することができ、さらに、段付きねじ１３２はスライド部分に溝がないため、スムーズにスライドできるので、作業性が良い。
【００２０】
第一係合部１１は、フード本体１０の正面側の上端部付近に設けられ、側面板２０が備える第一被係合部２１と係合する。この両者の係合のしかたについて説明する。側面板２０をフード本体１０に取り付けようとする時、スイッチボックス１３は、固定されず緩くスライド可能に長孔１３１に保持されているので自重により最も下の位置に存する。この時、レンジフード１００の施工者は、側面板２０の開口部２３をスイッチボックス１３から突出しているスイッチボタン１４に位置を合わせて嵌め合わせるような前後方向（横方向または水平方向）の作業を行うこととなる。
【００２１】
この場合、この作業は天井面に対して平行な方向の動きを伴う作業となるが、スイッチボックス１３が最も下の位置にあるので、たとえ側面板２０が取り付けられた場合に天井面に当接または近接するような場合であっても、この作業時には、天井面と側面板２０の上端２０Ｕの間にはスイッチボックス１３のスライド移動距離に相当する長さの隙間がある状態である。したがって、施工者は、側面板２０の上端２０Ｕが天井面に衝突したり引っ掻いたりして傷がつかないかどうか気を遣う必要はなく、施工性が向上する。
【００２２】
この時には、側面板２０の第一被係合部２１は、フード本体１０の第一係合部１１の下方に離れて位置しており、両者は係合していない状態である。この状態から、施工者は、スイッチボタン１４が開口部２３に嵌め合わされた状態で側面板２０を上方向（天井の方向）へスライドさせる。スイッチボックス１３はスライド可能に備えられているので、段付きねじ１３２が長孔１３１の長径方向に移動することで、側面板２０と共に上方向にスライド移動する。側面板２０が上方向にスライド移動すると、第一被係合部２１は第一係合部１１に徐々に接近する。第一係合部１１と第一被係合部２１は、第一係合部１１の下面と第一被係合部２１の上面が当接することで、互いに係合する。第一係合部１１と第一被係合部２１が互いに係合し、その状態で固定されることで、側面板２０がフード本体１０に取り付けられた状態となる。側面板２０の上方向へスライドさせる作業は、天井面に対しては垂直な方向の作業であり、天井面と取り付け状態に対して比較的遠い位置から近づく方向にスライドする作業となるので、天井に傷をつけるなどの心配がないため、施工性が向上する。すなわち、天井面から比較的遠く、天井面に誤って接触する恐れの少ない位置で仮固定したのちにスライドするため、天井に傷をつけるなどの心配がない。
【００２３】
側面板２０が取り付けられた場合に天井面に上端２０Ｕが当接するようなレンジフード１００である場合、スイッチボタン１４を嵌め合わせた位置から第一係合部１１の下面と第一被係合部２１の上面が係合する位置までの距離は、スイッチボタン１４を嵌め合わせた時にある天井面と側面板２０の上端２０Ｕの間の隙間の長さと一致することが好ましい。なお、スイッチボックス１３がスライド移動する長孔１３１の長径は、少なくともその距離に等しいかそれ以上である。
【００２４】
すなわち、開口部２３にスイッチボタン１４を嵌め合わせたばかりの状態、換言すれば、第一係合部１１と第一被係合部２１が係合していない状態かつ開口部２３からスイッチボタン１４（表出部）が表出した状態において、側面板２０とスイッチボックス１３（可動部）は、第一係合部１１の下面と第一被係合部２１の上面が係合する位置まで、第一被係合部２１が第一係合部１１に係合する方向（上方向）にスライド可能である。そして、第一係合部１１と第一被係合部２１が係合した状態で、フード本体１０と側面板２０が互いに固定されることで側面板２０がフード本体１０に取り付けられたものとなる。
【００２５】
このように、側面板２０を天井面に垂直な方向にスライドさせて取り付けることによって側面板が天井や壁面に接触することなく天井に傷をつけることがないため、施工性が向上したレンジフード１００を提供することができる。また、側面板２０をスライドさせて取り付ける際、側面板２０から表出するスイッチボタン１４も一緒にスライドすることで、天井近傍で天井面に垂直な方向以外の方向に動かす必要がなく、また部材の取り外しなども必要がないため、施工性が向上したレンジフード１００を提供することができる。
【００２６】
なお、第一係合部１１と第一被係合部２１が係合した状態で、フード本体１０と側面板２０をネジやボルトとナットなどの保持具を用いて互いに固定することでその状態を保持し、側面板２０がフード本体１０に取り付けられたものとなる。これにより、側面板２０が、第一被係合部２１が第一係合部１１に係合する方向とは逆方向（下方向）に移動して脱落することを防止できる。第一係合部１１と第一被係合部２１が互いに係合した位置において、フード本体１０の下部にある第一保持具孔３１と側面板２０の下部にある第二保持具孔３２が適合する。この状態で、ネジ等の保持具（図５（Ｅ）における３０）により適合した両孔を貫通させて固定する。保持具３０で固定する位置は、第一保持具孔３１と第二保持具孔３２が適合した位置の背面側から取り付けられることにより、レンジフードの前面側からは見えないため意匠上好ましい。
【００２７】
また、第一係合部１１は、側面板２０がフード本体１０から離れて脱落することを防止する前垂れ防止部１５を備えてもよい。前垂れ防止部１５は、第一係合部１１の正面側の端部から斜め下方向に延在してなり、第一係合部１１に係合している状態の第一被係合部２１が手前方向に抜けてしまうことを防止し、側面板２０がフード本体１０から離れて手前方向（正面側方向）に脱落することを防止する。
【００２８】
また、側面板２０は、第一被係合部２１の背面側の端部から下方に延在する第二被係合部２２を備え、フード本体１０は、その第二被係合部２２を一旦係合させるために第一係合部１１や前垂れ防止部１５の正面側の端部よりさらに手前側（正面側）にフード本体１０から延在する第二係合部１２を第一係合部１１の下方に備えてもよい。第二係合部１２が第一係合部１１の下方に設けられる位置は、第二被係合部２２が第一被係合部２１の背面側の端部から下方に延在する距離よりも離れた位置である。さらに、第二係合部１２と第二被係合部２２が係合した状態で、開口部２３からスイッチボタン１４（表出部）が表出するために適合した位置となるように構成されることが好ましい。
【００２９】
そうすると、第二係合部１２と第二被係合部２２が係合した状態では、第一係合部１１と第一被係合部２１が係合しておらず、開口部２３からスイッチボタン１４が表出可能であって、第一係合部１１と第一被係合部２１が係合した状態においては第二係合部１２と第二被係合部２２が係合していないこととなる。このような構成にすることで、側面板２０をフード本体１０に取り付ける際に、一旦第二係合部１２に引っ掛けることで、仮の位置決めができ、安定して次の動作に移ることができるため施工性が向上する。また、側面板２０を取り付ける際、第二係合部１２に係合した状態で開口部２３とスイッチボタン１４の位置が概ね適合するため、側面板２０がスイッチボタン１４に接触してスイッチボタン１４を傷付けることがないと共に容易に開口部２３とスイッチボタン１４の位置合わせができる。
【００３０】
また、側面板２０は、スイッチボタン１４を開口部２３に案内するガイド部２４を有してもよい。ガイド部２４は、側面板２０の裏側であって開口部２３の下方でスイッチボタン１４を有するスイッチボックス１３に適合するように設けられる。ガイド部２４は、側面板２０の裏側から背面側へ突出し、スイッチボタン１４が側面板２０の裏側に当接する前にスイッチボックス１３に当接するように設けられる。これにより、容易に開口部２３とスイッチボタン１４の位置合わせができる。なお、本実施例ではガイド部２４の他に左右方向にスイッチボタン１４の位置合わせをするための左右案内部２５を備えており、スイッチボタン１４の左右方向の位置合わせも同時にされるようになっている。
【００３１】
また、ガイド部２４は、スイッチボタン１４が開口部２３から表出した状態で、スイッチボックス１３の下側に当接して、スイッチボックス１３を支持するように構成してもよい。このように、ガイド部２４がスイッチボックス１３を支持することで、側面板２０をスライドさせる際または側面板２０をフード本体１０に取り付けた状態でスイッチボックス１３の姿勢が維持でき、スイッチボックス１３が自重で下がらないためスイッチボタン１４の下側が開口部に接触することがなく、スイッチボタン１４に負荷がかからず、傷がつくことを防止できる。
【００３２】
図５を参照して、レンジフード１００の設置方法を説明する。上述したように、レンジフード１００は、第一係合部１１と第二係合部１２を有するフード本体１０と、フード本体１０の側面に備えられ、開口部２３と第一被係合部２１と第二被係合部２２とを有する側面板２０と、フード本体１０に上下方向にスライド可能に備えられ、側面板２０の開口部２３から表出するスイッチボタン１４（表出部）を有するスイッチボックス１３（可動部）と、を備える。
【００３３】
本図（Ａ）は、別体として存するフード本体１０と側面板２０を示す。まず、フード本体１０を本体留め金具１８を使って壁または天井に取り付けておく。本図（Ｂ）に示すように、まず、側面板２０の第二被係合部２２を、フード本体１０の第二係合部１２に引っ掛けて仮留めする。そうすると、第二係合部１２は側面板２０の重量を支えることができるため、その後の施工作業が容易となる。この状態において、ガイド部２４がスイッチボックス１３の下端に当接してスイッチボックス１３の上下位置をガイドするため、スイッチボタン１４の位置は開口部２３の位置に上下方向において適合している。また、この状態では、側面板２０の上端２０Ｕと天井面との間にはスライド距離以上の幅の隙間がある状態である。
【００３４】
本図（Ｂ）の状態から、側面板２０を背面側方向へ押すと、第二被係合部２２が、第一被係合部２１がフード本体１０に当接するまで第二係合部１２を摺動し、側面板２０の開口部２３からスイッチボタン１４を表出させる本図（Ｃ）で示す状態となる。この作業は、天井面に対して平行な方向の動きを伴うが、側面板２０の上端２０Ｕと天井面との間にはスライド距離以上の幅の隙間がある状態であると共に、第一被係合部２１が第二係合部１２を摺動させながら天井面に対して平行な方向の動きをするので、側面板２０を持ち上げたりする必要がないため、側面板２０の上端２０Ｕにより天井を傷つけたりする心配がないため施工性が良い。また、ガイド部２４は、この状態では、スイッチボックス１３の下面に当接して下側からスイッチボックス１３を支持しており、容易に位置合わせを行うことができる。
【００３５】
本図（Ｃ）の状態から、側面板２０を上方向へ押し上げて第一係合部１１が第一被係合部２１に係合する方向にスライドさせると、ガイド部２４はスイッチボックス１３を下側から支持しているので、段付きねじ１３２を介して長孔１３１にスライド可能に保持されているスイッチボックス１３は、側面板２０と共に上方向へスライドする。このように、側面板２０をスイッチボックス１３と共に第一係合部１１が第一被係合部２１に係合する方向すなわち上方向へスライドさせることは、側面板２０を天井面に対して垂直な方向の動きを有する作業なので、天井を引っ掻いたりする心配がなく施工性がよい。また、第一係合部１１が第一被係合部２１に係合する以前に側面板２０の上端２０Ｕが天井には到達しないように設計されていることが施工者は分かっているので、天井に衝突させる心配がなく施工性がよい。
【００３６】
本図（Ｃ）の状態から、側面板２０を上方向へ押し上げて第一係合部１１が第一被係合部２１に係合するまでスライドさせると、側面板２０の第一被係合部２１がフード本体１０の第一係合部１１に係合した、本図（Ｄ）に示す状態となる。この状態では、側面板２０の上端２０Ｕは天井面に最も近接した状態となる。また、この状態では、第一被係合部２１が前垂れ防止部１５に手前側で係合することになるので、側面板２０が手前側に離れて脱落することを防止できる。また、この状態では、側面板２０の第二保持具孔３２は、フード本体１０の第一保持具孔３１の背面側から適合する位置に配置される。
【００３７】
本図（Ｄ）の状態において、互いに適合する位置にある第一保持具孔３１と第二保持具孔３２を貫通させるように保持具３０を取り付けて、側面板２０とフード本体１０を第一係合部１１と第一被係合部２１が係合した状態で保持し、フード本体１０に側面板２０を固定させて取り付ける。これにより、本図（Ｅ）に示すように側面板２０がフード本体１０に取り付けられた状態となる。こうすることで、側面板２０が、第一被係合部２１が第一係合部１１に係合する方向とは逆方向（下方向）に移動して脱落することを防止できる。また、この状態では、ガイド部２４はスイッチボックス１３を下側から支持しているので、スイッチボックス１３の姿勢が維持でき、スイッチボックス１３が自重で下がらないためスイッチボタン１４の下側が開口部に接触することがなく、スイッチボタン１４に負荷がかからず、傷がつくことを防止できる。
【００３８】
上述したようなレンジフード１００の設置方法を行うことで、側面板２０を天井面に垂直な方向にスライドさせて取り付けることによって天井に傷をつけることがないため、施工性が向上したレンジフード１００の設置方法を提供することができる。また、側面板２０をスライドさせて取り付ける際、側面板２０から表出する部分も一緒にスライドすることで天井面に垂直な方向以外の方向に動かす必要がなく、また部材の取り外しなども必要がないため、施工性が向上したレンジフード１００の設置方法を提供することができる。
【００３９】
なお、本発明は、例示した実施例に限定するものではなく、特許請求の範囲の各項に記載された内容から逸脱しない範囲の構成による実施が可能である。すなわち、本発明は、主に特定の実施形態に関して特に図示され、かつ説明されているが、本発明の技術的思想および目的の範囲から逸脱することなく、以上述べた実施形態に対し、数量、適用例、その他の詳細な構成において、当業者が様々な変形を加えることができるものである。
【００４０】
たとえば、上記実施例では、表出部と可動部をスイッチボタンとスイッチボックスとしたが、側面板から表出するセンサとそのセンサの制御機構を収めるセンサボックスでもよいし、側面板から表出するＬＥＤ等の照明とその制御機構を収める照明ボックスであってもよい。
【００４１】
また、上記実施例では、側面板をスライドさせる方向は正面側で上下方向（縦方向）としたが、これだけでなく、正面側で左右方向（横方向）に、側面側において前後方向（横方向）や上下方向（縦方向）であってもよく、側面板が側面側でスライドする場合天井面だけでなく壁面にも対しても傷をつけることが懸念される場合があるので、本発明は有効である。
【００４２】
また、第一係合部１１と第一被係合部２１および第二係合部１２と第二被係合部２２は、両方とも正面側の概ね横幅に亘り設けられており、十分な係合なすように構成されているが、たとえば数か所（正面側両端部と中央部など３か所）に分かれて設けられてもよい。また、これらが、正面側の概ね横幅に亘り設けられていることで、側面板が補強されて変形しにくくなり、さらに側面板を取り付ける際に左右方向にずれないという効果も有する。
【符号の説明】
【００４３】
１００    レンジフード
１０      フード本体
１１      第一係合部
１２      第二係合部
１３      スイッチボックス（可動部）
１３１    長孔
１３２    段付きねじ
１４      スイッチボタン（表出部）
１５      前垂れ防止部
１７      吸込み口
１８      本体留め金具
１９      ダクト接続部
２０      側面板
２１      第一被係合部
２２      第二被係合部
２３      開口部
２４      ガイド部
２５      左右案内部
３０      保持具
３１      第一保持具孔
３２      第二保持具孔
４０      内面パネル
４１      照明
５０      整流板
６０      送風機
【図１】
2019060562.tif 000003
【図２】
2019060562.tif 000004
【図３】
2019060562.tif 000005
【図４】
2019060562.tif 000006
【図５】
2019060562.tif 000007